(57)【要約】【課題】非接触型情報記憶媒体の読み取りを行うリーダを新規な観点から照明制御などに活用するように改善された照明器具などを提供する。【解決手段】  照明システムは、照明器具と、非接触型情報記憶媒体の読み取りを行うリーダと通信し、前記照明器具を照明制御するコントローラと、を備える。前記リーダで前記非接触型情報記憶媒体の読み取りが行われた場合に、前記リーダに対する前記非接触型情報記憶媒体のかざし方の違いに基づいて、前記コントローラが照明制御を行う。照明システムは、予め定められた前記非接触型情報記憶媒体の前記リーダに対するかざし方の種類と、予め定められた複数の照明制御の内容と、が対応付けられた対応情報を予め記憶した記憶部を有してもよく、前記リーダで読み取られたかざし方が前記かざし方の種類のいずれかに該当した場合に、前記対応情報に従って、該当するかざし方に対応する照明制御を行ってもよい。【選択図】図１
2017098034.tif 000002
【特許請求の範囲】
【請求項１】
照明器具と、
非接触型情報記憶媒体の読み取りを行うリーダと通信し、前記照明器具を照明制御するコントローラと、
を備え、
前記リーダで前記非接触型情報記憶媒体の読み取りが行われた場合に、前記リーダに対する前記非接触型情報記憶媒体のかざし方の違いに基づいて、前記コントローラが照明制御を行う照明システム。
【請求項２】
予め定められた前記非接触型情報記憶媒体の前記リーダに対するかざし方の種類と、予め定められた複数の照明制御の内容と、が対応付けられた対応情報を予め記憶した記憶部を有し、
前記リーダで読み取られたかざし方が前記かざし方の種類のいずれかに該当した場合に、前記対応情報に従って、該当したかざし方に対応する照明制御を行う請求項１に記載の照明システム。
【請求項３】
前記照明器具は、前記リーダで読み取られたかざし方に応じて前記照明器具の点灯と消灯とを切り替える請求項１または２に記載の照明システム。
【請求項４】
前記リーダに対して前記非接触型情報記憶媒体をかざし続ける時間の長短に基づいて、前記コントローラが照明制御を行う請求項１〜３のいずれか１項に記載の照明システム。
【請求項５】
前記リーダに対して前記非接触型情報記憶媒体を繰り返しかざした回数に基づいて、前記コントローラが照明制御を行う請求項１〜３のいずれか１項に記載の照明システム。
【請求項６】
非接触型情報記憶媒体の読み取りを行うリーダと通信し、前記リーダに対する前記非接触型情報記憶媒体のかざし方の違いに基づいて照明制御を行う照明器具。
【請求項７】
予め定められた前記非接触型情報記憶媒体の前記リーダに対するかざし方の種類と、予め定められた複数の照明制御の内容と、が対応付けられた対応情報を予め記憶した記憶部を有し、
前記リーダで読み取られたかざし方が前記かざし方の種類のいずれかに該当した場合に、前記対応情報に従って、該当したかざし方に対応する照明制御を行う請求項６に記載の照明器具。
【請求項８】
建物に設置され、非接触型情報記憶媒体の読み取りを行うリーダと通信し、前記建物の入退室管理に必要な認証情報以外の媒体情報を前記非接触型情報記憶媒体から前記リーダが読み取った場合に、前記媒体情報に基づいて照明制御を行う照明器具。
【請求項９】
建物に設置された照明器具と、
非接触型情報記憶媒体の読み取りを行うリーダと通信し、前記照明器具を制御するコントローラと、
を備え、
前記建物の入退室管理に必要な認証情報以外の媒体情報を前記非接触型情報記憶媒体から前記リーダが読み取った場合に、前記媒体情報に基づいて前記コントローラが照明制御を行う照明システム。
【請求項１０】
前記媒体情報は、前記非接触型情報記憶媒体でセキュリティロックがされていない情報である請求項９に記載の照明システム。
【請求項１１】
前記媒体情報は、前記非接触型情報記憶媒体に記憶された製造情報である請求項９に記載の照明システム。
【請求項１２】
前記非接触型情報記憶媒体は、前記建物の入退室管理とは異なる他用途に用いられるものである請求項９に記載の照明システム。
【請求項１３】
複数の照明器具と、
前記複数の照明器具と接続された照明スイッチと、
を備え、
非接触型情報記憶媒体の読み取りを行うリーダと通信し、前記リーダによる読み取り情報に基づいて、前記複数の照明器具のなかから前記照明スイッチの操作が適用される照明器具を選択する照明システム。
【請求項１４】
照明器具と、
前記照明器具と接続された照明スイッチと、
を備え、
前記照明スイッチは、前記照明器具のオンオフ操作を受け付ける操作部を備え、
非接触型情報記憶媒体の読み取りを行うリーダと通信し、前記リーダの読み取りが有効であった場合に、前記照明スイッチに前記操作部を表示させ、前記リーダの読み取りが有効となるまでの間、前記照明スイッチの前記操作部を非表示状態とする照明システム。
【請求項１５】
前記照明スイッチが前記リーダを内蔵した請求項１３〜１４のいずれか１項に記載の照明システム。
【請求項１６】
複数の照明器具と、
前記照明器具が設置された部屋に設けられ互いにネットワーク接続された複数の電子情報端末の周辺にそれぞれ設けられ、非接触型情報記憶媒体の読み取りを行う複数のリーダと、
を備え、
前記電子情報端末が複数設けられ、複数の前記電子情報端末がネットワーク接続されており、
複数の前記照明器具を区別する情報と前記非接触型情報記憶媒体からリーダで読み取られる情報とがひもづけられた照明区別情報を予め記憶し、
前記リーダの読み取りがあったとき、前記照明区別情報の中で該当する前記照明器具に対して、予め定めた照明制御を行う照明システム。
【請求項１７】
前記非接触型情報記憶媒体は、入隊室用個人認証以外の用途に用いられる媒体であり、
前記リーダは前記非接触型情報記憶媒体が有する情報のなかのセキュリティロックがかかっていない情報を読み取る請求項１３〜１６のいずれか１項に記載の照明システム。
【請求項１８】
前記非接触型情報記憶媒体は、入退室用の個人認証機能を含み、前記非接触型情報記憶媒体における個人認証情報以外の情報を前記リーダが読み取る請求項１３〜１６のいずれか１項に記載の照明システム。
【請求項１９】
前記非接触型情報記憶媒体に記憶された製造情報が用いられる請求項１３〜１６のいずれか１項に記載の照明システム。
【請求項２０】
照明器具が設置された部屋に設けられた電子情報端末の周辺に設けられて非接触型情報記憶媒体の読み取りを行うリーダによる読み取り情報、および前記リーダに対する前記非接触型情報記憶媒体のかざし方の違いのうち少なくとも一方に基づいて照明制御を行う照明器具。
【請求項２１】
照明器具と、
前記照明器具が設置された部屋に設けられた空調機と、
非接触型情報記憶媒体の読み取りを行うリーダと、
を備え、
前記リーダによる読み取り情報、および前記リーダに対する前記非接触型情報記憶媒体のかざし方の違いのうち少なくとも一方に基づいて、前記照明器具および前記空調機の制御を行う照明空調システム。
【請求項２２】
前記照明器具および前記空調機が接続され、前記リーダと通信する照明コントローラをさらに備え、
前記照明コントローラが、前記リーダによる読み取り情報、および前記リーダに対する前記非接触型情報記憶媒体のかざし方の違いのうち少なくとも一方に基づいて前記照明器具および前記空調機の制御を行う請求項２１に記載の照明空調システム。
【請求項２３】
建物に設置すべき複数の照明器具、非接触型情報記憶媒体の読み取りを行うリーダ、および記憶部を含む照明システムを準備し、前記リーダで前記建物の入退室管理に必要な認証情報以外の媒体情報を前記リーダが読み取った場合に、前記リーダで読み取られた情報を前記複数の照明器具に１つずつ又はグループごとにひもづけることで、前記複数の照明器具に１つずつ又はグループごとに前記媒体情報を割り付けた情報を生成して前記記憶部に記憶する照明システムの構築方法。
【請求項２４】
非接触型情報記憶媒体の読み取りを行うリーダと、
前記リーダによる読み取り情報、および前記リーダに対する前記非接触型情報記憶媒体のかざし方の違いのうち少なくとも一方に基づいて照明制御を行う制御回路と、
を備える照明スイッチ。
【請求項２５】
表面と裏面とを有するカバーを更に備え、
前記リーダは、前記カバーの裏面側に設けられ、前記カバーの前記表面に非接触型情報記憶媒体が近接したときに前記非接触型情報記憶媒体に対する読み取りを行う請求項２４に記載の照明スイッチ。
【請求項２６】
前記カバーは、可視光に対する光透過性を有し、
前記カバーの裏面に設けられ、前記カバーの表面における予め定めた位置への接触または押圧を検知するスイッチ操作部と、
前記カバーの裏面側における前記スイッチ操作部の隣に設けられた発光部と、
を更に備え、
前記制御回路は、前記リーダによる読み取りがあったときに予め定められた前記発光部を点灯させ、前記リーダによる読み取りがあるまでは、前記発光部を消灯させる請求項２５に記載の照明スイッチ。
【請求項２７】
基板を備え、
前記リーダは、前記基板の一方の面の周縁をなぞるようにコイル状に設けられたアンテナ部と、前記基板の一方の面における前記アンテナ部の内側の領域に実装されたリーダ回路部と、を含む請求項２４に記載の照明スイッチ。
【請求項２８】
カバーと、
前記カバーの裏面に設けられ、前記カバーの表面における予め定めた位置への接触または押圧を検知するスイッチ操作部と、
前記カバーの裏面側における前記スイッチ操作部の隣に設けられた発光部と、
前記カバーの裏面側に設けられ、非接触型情報記憶媒体の読み取りを行うリーダと、
前記リーダおよび前記発光部と接続した制御回路と、
を備え、
前記カバーは、前記発光部の光を透過する非透明材料からなり、
前記制御回路は、前記リーダによる読み取りの成否または前記リーダによる読み取り情報に基づいて、前記発光部を点灯制御する照明スイッチ。
【請求項２９】
前記制御回路は、前記リーダによる読み取りが成功したときに前記発光部を点灯させ、前記リーダによる読み取りが成功するまでは前記発光部を消灯させる請求項２８に記載の照明スイッチ。
【請求項３０】
前記発光部が複数個設けられ、
前記制御回路は、前記リーダによる読み取り情報に応じて、前記複数個の前記発光部それぞれの点灯および消灯を制御する請求項２８に記載の照明スイッチ。
【請求項３１】
非接触型情報記憶媒体の読み取りを行う複数のリーダと通信し、前記複数のリーダのいずれを対象に前記非接触型情報記憶媒体がかざされたかに基づいて異なる照明制御を行う照明器具。
【請求項３２】
並べて配置され、非接触型情報記憶媒体の読み取りを行う複数のリーダと、
前記複数のリーダの１つに前記非接触型情報記憶媒体がかざされた場合と前記複数のリーダの他の一つに前記非接触型情報記憶媒体がかざされた場合とで、異なる照明制御を行う制御回路と、
を備える照明スイッチ。
【発明の詳細な説明】
【技術分野】
【０００１】
本発明は、照明器具、照明システム、照明空調システム、照明スイッチ、照明システムの構築方法に関する。
【背景技術】
【０００２】
従来、例えば、特開２０１１−００４０４７号公報に開示されているように、非接触ＩＣカードなどで読み取った情報を利用して照明制御を行う照明システムが知られている。
【先行技術文献】
【特許文献】
【０００３】
【特許文献１】特開２０１１−００４０４７号公報
【発明の概要】
【発明が解決しようとする課題】
【０００４】
本願発明者は、機能拡張、利便性向上、省スペース化、およびコストダウンなどの要求を満たす観点から、非接触型情報記憶媒体の読み取りを行うリーダを新規な観点から照明制御などに活用する技術を見出した。
【０００５】
本発明は、非接触型情報記憶媒体の読み取りを行うリーダを新規な観点から照明制御などに活用するように改善された照明器具、照明システム、照明空調システム、照明スイッチ、照明システムの構築方法を提供することを目的とする。
【課題を解決するための手段】
【０００６】
第１の発明にかかる照明システムは、照明器具と、非接触型情報記憶媒体の読み取りを行うリーダと通信し、前記照明器具を照明制御するコントローラと、を備え、前記リーダで前記非接触型情報記憶媒体の読み取りが行われた場合に、前記リーダに対する前記非接触型情報記憶媒体のかざし方の違いに基づいて、前記コントローラが照明制御を行う。
【０００７】
第２の発明にかかる照明器具は、非接触型情報記憶媒体の読み取りを行うリーダと通信し、前記リーダに対する前記非接触型情報記憶媒体のかざし方の違いに基づいて照明制御を行う。
【０００８】
第３の発明にかかる照明器具は、建物に設置され、非接触型情報記憶媒体の読み取りを行うリーダと通信し、前記建物の入退室管理に必要な認証情報以外の媒体情報を前記非接触型情報記憶媒体から前記リーダが読み取った場合に、前記媒体情報に基づいて照明制御を行う。
【０００９】
第４の発明にかかる照明システムは、建物に設置された照明器具と、非接触型情報記憶媒体の読み取りを行うリーダと通信し、前記照明器具を制御するコントローラと、を備え、前記建物の入退室管理に必要な認証情報以外の媒体情報を前記非接触型情報記憶媒体から前記リーダが読み取った場合に、前記媒体情報に基づいて前記コントローラが照明制御を行う。
【００１０】
第５の発明にかかる照明システムは、複数の照明器具と、前記複数の照明器具と接続された照明スイッチと、を備え、非接触型情報記憶媒体の読み取りを行うリーダと通信し、前記リーダによる読み取り情報に基づいて、前記複数の照明器具のなかから前記照明スイッチの操作が適用される照明器具を選択する。
【００１１】
第６の発明にかかる照明システムは、照明器具と、前記照明器具と接続された照明スイッチと、を備え、前記照明スイッチは、前記照明器具のオンオフ操作を受け付ける操作部を備え、非接触型情報記憶媒体の読み取りを行うリーダと通信し、前記リーダの読み取りが有効であった場合に、前記照明スイッチに前記操作部を表示させ、前記リーダの読み取りが有効となるまでの間、前記照明スイッチの前記操作部を非表示状態とする。
【００１２】
第７の発明にかかる照明システムは、複数の照明器具と、前記照明器具が設置された部屋に設けられ互いにネットワーク接続された複数の電子情報端末の周辺にそれぞれ設けられ、非接触型情報記憶媒体の読み取りを行う複数のリーダと、を備え、前記電子情報端末が複数設けられ、複数の前記電子情報端末がネットワーク接続されており、複数の前記照明器具を区別する情報と前記非接触型情報記憶媒体からリーダで読み取られる情報とがひもづけられた照明区別情報を予め記憶し、前記リーダの読み取りがあったとき、前記照明区別情報の中で該当する前記照明器具に対して、予め定めた照明制御を行う。
【００１３】
第８の発明にかかる照明空調システムは、照明器具と、前記照明器具が設置された部屋に設けられた空調機と、非接触型情報記憶媒体の読み取りを行うリーダと、を備え、前記リーダによる読み取り情報と前記リーダに対する前記非接触型情報記憶媒体のかざし方の違いとのうち少なくとも一方に基づいて、前記照明器具および前記空調機の制御を行う。
【００１４】
第９の発明にかかる照明器具は、照明器具が設置された部屋に設けられた電子情報端末の周辺に設けられて非接触型情報記憶媒体の読み取りを行うリーダによる読み取り情報および前記リーダに対する前記非接触型情報記憶媒体のかざし方の違いのうち少なくとも一方に基づいて照明制御を行う。
【００１５】
第１０の発明にかかる照明システムの構築方法は、建物に設置すべき複数の照明器具、非接触型情報記憶媒体の読み取りを行うリーダ、および記憶部を含む照明システムを準備し、前記リーダで前記建物の入退室管理に必要な認証情報以外の媒体情報を前記リーダが読み取った場合に、前記リーダで読み取られた情報を前記複数の照明器具に１つずつ又はグループごとにひもづけることで、前記複数の照明器具に１つずつ又はグループごとに前記媒体情報を割り付けた情報を生成して前記記憶部に記憶する。
【００１６】
第１１の発明にかかる照明スイッチは、非接触型情報記憶媒体の読み取りを行うリーダと、前記リーダによる読み取り情報、および前記リーダに対する前記非接触型情報記憶媒体のかざし方の違いのうち少なくとも一方に基づいて照明制御を行う制御回路と、を備える。
【００１７】
第１２の発明にかかる照明スイッチは、カバーと、前記カバーの裏面に設けられ、前記カバーの表面における予め定めた位置への接触または押圧を検知するスイッチ操作部と、前記カバーの裏面側における前記スイッチ操作部の隣に設けられた発光部と、前記カバーの裏面側に設けられ、非接触型情報記憶媒体の読み取りを行うリーダと、前記リーダおよび前記発光部と接続した制御回路と、を備え、前記カバーは、前記発光部の光を透過する非透明材料からなり、前記制御回路は、前記リーダによる読み取りの成否または前記リーダによる読み取り情報に基づいて、前記発光部を点灯制御する。
【００１８】
第１３の発明にかかる照明器具は、非接触型情報記憶媒体の読み取りを行う複数のリーダと通信し、前記複数のリーダのいずれを対象に前記非接触型情報記憶媒体がかざされたかに基づいて異なる照明制御を行う。
【００１９】
第１４の発明にかかる照明スイッチは、並べて配置され、非接触型情報記憶媒体の読み取りを行う複数のリーダと、前記複数のリーダの１つに前記非接触型情報記憶媒体がかざされた場合と前記複数のリーダの他の一つに前記非接触型情報記憶媒体がかざされた場合とで、異なる照明制御を行う制御回路と、を備える。
【発明の効果】
【００２０】
第１〜１４の発明によれば、非接触型情報記憶媒体の読み取りを行うリーダを新規な観点から照明制御などに活用することができる。
【図面の簡単な説明】
【００２１】
【図１】本発明の実施の形態にかかる照明システムの構成を示すブロック図である。
【図２】本発明の実施の形態にかかる照明システムの他の構成を示すブロック図である。
【図３】本発明の実施の形態にかかる照明スイッチの回路ブロック図である。
【図４】本発明の実施の形態にかかる照明スイッチの他の例の回路ブロック図である。
【図５】本発明の実施の形態にかかる照明スイッチの構造を示す斜視図である。
【図６】本発明の実施の形態にかかる照明スイッチが内蔵する基板上の表面レイアウトを示す平面図である。
【図７】本発明の実施の形態にかかる照明スイッチが内蔵する基板上の裏面レイアウトを示す平面図である。
【図８】本発明の実施の形態にかかる照明スイッチの非表示状態を示す正面図である。
【図９】本発明の実施の形態にかかる照明スイッチの点灯表示状態の一例を示す正面図である。
【図１０】本発明の実施の形態にかかる照明スイッチの点灯表示状態の一例を示す正面図である。
【図１１】本発明の実施の形態にかかる照明スイッチの点灯表示状態の一例を示す正面図である。
【図１２】本発明の実施の形態にかかる照明システムの制御方式の一例（制御データベースを照明コントローラに置く方式）を示す制御シーケンス図である。
【図１３】本発明の実施の形態にかかる照明システムの制御方式の他の例（制御データベースを照明スイッチに置く方式）を示す制御シーケンス図である。
【図１４】本発明の実施の形態にかかる照明システムのカード情報読込処理の一例を示すフローチャートである。
【図１５】本発明の実施の形態にかかる照明システムのカード情報読込処理の他の例を示すフローチャートである。
【図１６】本発明の実施の形態にかかる照明システムのカード情報読込処理の他の例を示すフローチャートである。
【図１７】本発明の実施の形態にかかる照明システムの構築方法（割付操作を設定器とカードスイッチで実施する場合）の一例を示す設定シーケンス図である。
【図１８】本発明の実施の形態にかかる照明システムの構築方法を説明するための図である。
【図１９】本発明の実施の形態にかかる照明システムの構築方法（割付操作をカードスイッチで実施する場合）の他の例を示す設定シーケンス図である。
【図２０】本発明の実施の形態にかかる照明システムの構築方法を説明するための図である。
【図２１】本発明の実施の形態にかかる照明システムの構築方法を説明するための図である。
【図２２】本発明の実施の形態にかかる照明システムで利用する非接触ＩＣカードを特定するためのＲＦＩＤフォーマットを示す図である。
【図２３】本発明の実施の形態にかかる照明システムで利用する非接触ＩＣカードを特定するためのＲＦＩＤフォーマットを示す図である。
【図２４】本発明の実施の形態にかかる照明空調システムの構成を示すブロック図である。
【図２５】本発明の実施の形態にかかる照明空調システムの他の構成を示すブロック図である。
【発明を実施するための形態】
【００２２】
図１は、本発明の実施の形態にかかる照明システム１０００の構成を示すブロック図である。ワンフロア内のシステムを例示したものである。実施の形態の特徴的構成の一つとして、公共機関で使用する非接触ＩＣカード５のＩＤ情報と照明制御ポイントを対応付け、非接触ＩＣカード５操作により照明器具２ａ〜２ｃが操作される。
【００２３】
図１に示すように、照明システム１０００は、互いに通信線で接続された、照明コントローラ１、複数の照明器具２ａ〜２ｃ、および照明スイッチ１００を備えている。照明スイッチ１００は、壁スイッチ３および非接触式リーダ４を備えている。複数の照明器具２ａ〜２ｃおよび照明スイッチ１００を、まとめて、便宜上「照明制御システム機器６」とも称す。建物内のローカルエリアネットワーク（ＬＡＮ）１３に、照明コントローラ１が接続されている。照明システム１０００は、さらに、照明コントローラ１と接続されたルーター７と、ルーター７とイーサネット（登録商標）でネットワーク接続されたハブ（ＨＵＢ）１２と、ユーザが使用するパソコン８と、パソコン８の周辺に設けられたカード情報入力端末９と、を備えている。照明コントローラ１を介して照明器具２ａ〜２ｃが制御される。非接触式リーダ４およびカード情報入力端末９は、いわゆる受動型（パッシブ型）のＲＦＩＤ読取装置である。カード情報入力端末９は、セキュリティーカード６１の情報を読み取り可能である。セキュリティーカード６１は、入退室用セキュリティーカードである。
【００２４】
照明システム１０００は、非接触式リーダ４に対する非接触ＩＣカード５のかざし方の違いに基づいて照明制御を行う。具体的には、照明システム１０００は、制御データベースＤＢを有している。制御データベースＤＢは、予め定められた非接触ＩＣカード５の非接触式リーダ４に対する「かざし方の種類」と、予め定められた複数の照明制御の内容と、が対応付けられた対応情報を予め記憶した「記憶部」である。制御データベースＤＢは、照明システム１０００内のいずれかに存在する記憶装置を使用することができ、少なくとも、照明コントローラ１あるいは照明スイッチ１００内のマイコン４１（図３参照）が備えるメモリを用いることができる。照明システム１０００は、非接触式リーダ４で読み取られたかざし方が、予め設定された「かざし方の種類」のいずれかに該当した場合に、制御データベースＤＢに記憶された対応情報に従って、該当するかざし方に対応する照明制御を行う。「照明制御」は、具体的には、照明器具２ａ〜２ｃの点灯操作と消灯操作が含まれており、調光率を設定する調光操作も含まれてもよい。照明器具２ａ〜２ｃは、非接触式リーダ４で読み取られたかざし方に応じて照明器具２ａ〜２ｃの点灯と消灯とを切り替えるようになっている。
【００２５】
非接触式リーダ４に対して非接触ＩＣカード５をかざす際の「かざし方の違い」つまり「かざし方の種類」には、少なくとも下記の具体例が含まれる。「かざし続ける時間の長短」により、かざし方の違いを認識しても良い。長くかざしたときに点灯して短くかざしたときに消灯してもよく、あるいはその逆でも良い。「繰り返しかざした回数」により、かざし方の違いを認識しても良い。かざした回数が多いときに点灯してかざした回数が少ないときに消灯してもよく、あるいはその逆でも良い。また、かざし方で調光制御を行うモードであれば、長くかざすと調光率が増加つまり明るくされてもよく短くかざすと調光率が低下つまり暗くされるように調光制御されてもよく、あるいはその逆でもよい。同様に、かざした回数が多いときには明るくされてかざした回数が少ないときには暗くされる、という調光制御としてもよく、あるいはその逆でも良い。「かざし方の違い」に基づいた照明制御を行うので、１つの記憶媒体を用いて実現可能な照明制御の種類を増やすことができる。
【００２６】
さらに、非接触式リーダ４に対して非接触ＩＣカード５をかざす際の「かざし方の違い」つまり「かざし方の種類」には、非接触ＩＣカード５を非接触式リーダ４に対してかざす際の「スライド方向」が含まれていてもよい。例えば、壁などに取り付けられた非接触式リーダ４に対して、上から下つまり天井側から床側へと非接触ＩＣカード５を移動させるかざし方を第１スライド方向として識別し、逆に、下から上つまり床側から天井側へと非接触ＩＣカード５を移動させるかざし方を第２スライド方向として、非接触式リーダ４がスライド方向を識別してもよい。この第１、２スライド方向に、それぞれ異なる照明制御を割り当ててもよく、例えば第１スライド方向で点灯し第２スライド方向で消灯するという割り当てを行ってもよく、あるいはその逆であってもよい。同様に、非接触式リーダ４に対して、右から左へと非接触ＩＣカード５を移動させるかざし方を第３スライド方向とし、逆に左から右へと非接触ＩＣカード５を移動させるかざし方を第４スライド方向として、非接触式リーダ４がスライド方向を識別してもよい。第１、２スライド方向と同様に、この第３、４スライド方向に、それぞれ異なる照明制御を割り当ててもよい。また、縦方向のスライドと横方向のスライドとを区別するように非接触式リーダ４がスライド方向を識別してもよく、縦方向のスライドと横方向のスライドとにそれぞれ異なる照明制御を割り当てても良い。さらに、斜め方向のスライドを区別できるようになっていてもよく、例えば非接触式リーダ４に対して右上から左下へと移動するスライドと、非接触式リーダ４に対して左上から右下へと移動するスライドとを、区別できるようにしても良い。このように、非接触式リーダ４に対して一つの方向への往路と復路とを異なるかざし方として認識してもよく、異なる複数の方向へと非接触ＩＣカード５を移動させたときにそれぞれを異なるかざし方として認識してもよく、さらにこれらの認識方法を組み合わせても良い。なお、このようなスライド方向を区別するための技術の一例としては、例えば、非接触型ＩＣカードやＲＦタグなどの可搬記録媒体の記録内容を読み書きするリーダライタのアンテナコイルの形状を、上下にあるいは左右に非対称な形状（三角形、偏心形、分割形など）とする技術がある。この結果として、可搬記録媒体のリーダライタへのかざし方（かざす方向やかざす速度）の違いにより生じる、リーダライタのアンテナコイルにおける入力インピーダンスの変化のパターンを、アンテナコイルからの反射電力を測定した結果に基づいて判別する。これにより、可搬記録媒体のリーダライタへのかざし方を識別することが可能とされる。
【００２７】
上記をまとめると、実施の形態における「かざし方の違い」つまり「かざし方の種類」には、「かざし続ける時間の長短」、「繰り返しかざした回数」、および「スライド方向」の少なくとも１つが含まれている。「かざし続ける時間の長短」、「繰り返しかざした回数」、および「スライド方向」のうち、２つ以上のかざし方判別方法を組み合わせてもよく、３つのかざし方判別方法を全て適用しても良い。非接触式リーダ４で認識させるかざし方の種類を増やすことで、複数のかざし方それぞれに異なる照明操作を割り当てることが可能となる。
【００２８】
図２は、本発明の実施の形態にかかる照明システムの他の構成を示すブロック図である。複数のフロアを持つビルディング全体のシステムを例示したものである。図２に示す照明システム１００１が有する特徴的構成の一つとして、ユーザが使用するパソコン８ａ，８ｂに非接触式リーダ８ａ１，８ｂ１が取付けられている。照明システム１００１では、非接触ＩＣカード読み取り機である非接触式リーダ８ａ１，８ｂ１に非接触ＩＣカード５をかざすことにより、イントラネットを介して自己の照明制御ポイントを操作することができる。
【００２９】
照明システム１００１では、複数の照明コントローラ１ａ〜１ｄそれぞれに、照明制御システム機器６ａ〜６ｄが接続されている。照明制御システム機器６ａ〜６ｄの構成は、図１に示した照明制御システム機器６と同様である。図２に示すように、複数の照明コントローラ１ａ〜１ｄは、ＨＵＢ１２を介して、テナントのイントラネットに接続されている。ルーター７を介して、各パソコン８ａ，８ｂがハブ接続されている。また、各パソコン８ａ，８ｂには非接触ＩＣカード５の情報を読み取る非接触式リーダ８ａ１、８ｂ１が接続されている。非接触式リーダ８ａ１、８ｂ１は、非接触式リーダ４と同じく、非接触ＩＣカード５の読み取りが可能であり、いわゆる受動型（パッシブ型）のＲＦＩＤ読取装置である。ＬＡＮ１３には、ＨＵＢ１２を介してビル監視設備１０およびセキュリティ設備１１が接続されている。ＬＡＮ１３には、各照明コントローラ１ａ〜１ｄ、ビル監視設備１０、およびセキュリティ設備１１が接続され、様々な連携が可能となっている。セキュリティ設備１１のカード情報入力端末９ａ〜９ｄが、各フロアに設置されている。カード情報入力端末９ａ〜９ｄを介して、セキュリティ設備１１が、各テナントの入退室のセキュリティ管理および全員退出時の施錠管理を行っている。なお、変形例として、カード情報入力端末９ａ〜９ｄがセキュリティ機能を担わないようにしてもよく、カード情報入力端末９ａ〜９ｄが非接触ＩＣカード５を読み取り可能なリーダとされていてもよい。
【００３０】
照明コントローラ１ａ〜１ｄは、照明制御システム機器６ａ〜６ｄが設置された部屋に設けられたパソコン８ａ，８ｂの周辺に設けられた非接触式リーダ８ａ１，８ｂ１とも通信を行う。照明コントローラ１ａ〜１ｄは、非接触式リーダ８ａ１，８ｂ１の読み取り結果に応答して、照明制御を行う。具体的には、照明コントローラ１ａ〜１ｄは、非接触ＩＣカード５の読み取りを行う非接触式リーダ８ａ１，８ｂ１による読み取りの成否、非接触式リーダ８ａ１，８ｂ１による読み取り情報、および非接触式リーダ８ａ１，８ｂ１に対する非接触ＩＣカード５のかざし方の違いのうち少なくとも１つに基づいて、照明制御システム機器６ａ〜６ｄを制御する。
【００３１】
照明システム１００１は、複数の照明制御システム機器６ａ〜６ｄを備えている。パソコン８ａ、８ｂが複数設けられ、複数のパソコン８ａ、８ｂがネットワーク接続されている。照明コントローラ１ａ〜１ｄは、複数の照明器具２ａ〜２ｃを区別する情報と非接触ＩＣカード５から非接触式リーダ８ａ１，８ｂ１で読み取られる情報とがひもづけられた照明区別情報を予め記憶していてもよい。照明コントローラ１ａ〜１ｄは、非接触式リーダ８ａ１，８ｂ１の読み取りがあったとき、照明区別情報の中で該当する照明制御システム機器６ａ〜６ｄに対して、点灯、消灯、あるいは調光などの予め定めた照明制御を行うようにしてもよい。
【００３２】
図３は、本発明の実施の形態にかかる照明スイッチ１００の回路ブロック図である。照明スイッチ１００は、マイコン４１と、マイコン４１と照明コントローラ１との間の通信を行うための受信回路４６および送信回路４７と、通信線から電源を取出す電源回路４５と、受信回路４６、送信回路４７および電源回路４５を通信線に接続する端子台４４を備えている。照明スイッチ１００は、マイコン４１に接続された壁スイッチ３と、マイコン４１に接続された非接触式リーダ４とを備えている。図６〜図７で後述するように、壁スイッチ３および非接触式リーダ４は第１基板５２に一体的に形成されており、具体的には、壁スイッチ３は第１基板５２が有する基板本体５３の表面５３ａに設けられており、非接触式リーダ４は第１基板５２が有する基板本体５３の裏面５３ｂに設けられている。壁スイッチ３は、複数のスイッチ操作部４９を備えマイコン４１にスイッチ操作を伝達するスイッチ装置４８と、複数の発光素子（具体的にはＬＥＤ素子）５１を備えマイコン４１の指示に従って点灯するＬＥＤ表示部５０と、を備えている。スイッチ装置４８は、一例として、静電容量式スイッチとする。非接触式リーダ４は、マイコン４１に接続したいわゆるＲＦＩＤ制御回路であるＲＦ制御ＩＣ４２と、ＲＦ制御ＩＣ４２と接続したアンテナ部４３とを備えている。ＲＦ制御ＩＣ４２は、非接触ＩＣカード５に対する電源供給および信号送受信を行うものである。ＲＦ制御ＩＣ４２は、アンテナ部４３を介して非接触ＩＣカード５に対して高周波信号により電源を供給する機能と、アンテナ部４３を介して非接触ＩＣカード５との間でカードＩＤ情報をやり取りする通信機能とを備えている。ＲＦ制御ＩＣ４２およびアンテナ部４３の具体的構成は、既に公知の非接触型通信技術、ＲＦＩＤ技術を用いればよいので、これ以上の説明は省略する。壁スイッチ３の操作にタクタイルスイッチ（プッシュスイッチ）を用いないことで、機械構造に起因する短期寿命を避けることができるという利点がある。
【００３３】
図４は、本発明の実施の形態にかかる照明スイッチ１００の他の例の回路ブロック図である。図４には、変形例としての照明スイッチ１０４が図示されている。照明スイッチ１０４は、静電容量式スイッチであるスイッチ装置４８の代わりに、プッシュボタン１４９を備えるタクタイルスイッチ１４８を用いたものである。
【００３４】
図５は、本発明の実施の形態にかかる照明スイッチ１００の構造を示す斜視図である。照明スイッチ１００は、表面４ｆ１と裏面４ｆ２とを有し可視光透過性を有するカバープレート４ｆと、カバープレート４ｆの表面４ｆ１に取り付けられ可視光透過性を有する表面カバー４ｅと、カバープレート４ｆの裏面４ｆ２に重ねて設けられた第１基板５２および第２基板５６と、第２基板５６に実装された端子台４４と、第１基板５２、第２基板５６および端子台４４を覆うようにカバープレート４ｆの裏面４ｆ２に設けられたケース４ｇと、を備えている。一例としては、表面カバー４ｅとカバープレート４ｆの少なくとも一方が、例えば乳白色などの色の付いた半透明材料、例えば着色半透明樹脂材料などで形成されていても良い。これにより照明スイッチ１００の内部構造が表面カバー４ｅ側からは見えないようにされていてもよい。ただし、必ずしも半透明である必要は無く、表面カバー４ｅとカバープレート４ｆの両方が透明であり照明スイッチ１００の内部構造が表面カバー４ｅ側から見えるようになっていてもかまわない。
【００３５】
図６は、本発明の実施の形態にかかる照明スイッチ１００が内蔵する第１基板５２の表面レイアウトを示す平面図である。図６には、第１基板５２が有する基板本体５３の表面５３ａが図示されており、この表面５３がカバープレート４ｆの裏面４ｆ２に重なる。基板本体５３の表面５３ａには、スイッチ操作部４９および発光素子５１が形成されている。スイッチ操作部４９は、カバープレート４ｆの裏面４ｆ２に設けられ、カバープレート４ｆの表面４ｆ１における予め定めた位置への接触または押圧を検知する。スイッチ操作部４９は静電容量式スイッチなので、機械的式スイッチと比べて長寿命である。発光素子５１は、カバープレート４ｆの裏面４ｆ２側におけるスイッチ操作部４９の隣に設けられている。一例として、発光素子５１は、赤色と緑色の二色に切替可能な発光素子を含むものとする。非接触式リーダ４がカバープレート４ｆの裏面４ｆ２側に設けられているので、カバープレート４ｆの表面４ｆ１に非接触ＩＣカード５が近接したときに非接触ＩＣカード５に対する読み取りを行う。なお、図６に示す端子部５５ａ、５５ｂは、基板本体５３における表面５３ａと後述する図７に示す裏面５３ｂとを貫通して設けられている。
【００３６】
図７は、本発明の実施の形態にかかる照明スイッチ１００が内蔵する第１基板５２の裏面レイアウトを示す平面図である。図７には、第１基板５２が有する基板本体５３の裏面５３ｂが図示されている。基板本体５３の裏面５３ｂには、裏面５３ｂの周縁をなぞるようにコイル状に設けられたアンテナ部４３と、裏面５３ｂにおけるアンテナ部４３の内側の領域に実装されたＲＦ制御ＩＣ４２およびマイコン４１と、が設けられている。マイコン４１は、端子部５５ａ、５５ｂを介して、基板本体５３の表面５３ａに設けられたスイッチ操作部４９および発光素子５１と接続している。マイコン４１は、非接触式リーダ４による読み取りの成否、非接触式リーダ４による読み取り情報、および非接触式リーダ４に対する非接触ＩＣカード５のかざし方の違いのうち少なくとも１つに基づいて照明制御を行うための制御プログラムを内蔵メモリに記憶している。
【００３７】
カバープレート４ｆは、発光素子５１の光を透過する非透明材料からなる。マイコン４１は、非接触式リーダ４による読み取りがあったときに、複数の発光素子５１のうち予め定められた発光素子５１を点灯させる。具体例の詳細は、図９〜図１１で説明する。
【００３８】
スイッチ操作部４９は、機械式スイッチ、あるいは非機械式スイッチのどちらでもよい。カバープレート４ｆは、柔軟性を有し、スイッチ操作部４９は、カバープレート４ｆが押されたときに反応する機械式スイッチであってもよい。圧力を感知する方式、単純な押しボタンスイッチなどでもよい。非機械式スイッチは、電子式スイッチあるいは光学式スイッチである。非機械式スイッチは、静電容量スイッチであってもよい。様々な方式を用いることができ、マトリクス・スイッチ、抵抗膜方式、表面弾性波方式、赤外線方式、電磁誘導方式、静電容量方式などの様々な方式が採用可能である。静電容量方式は、表面型静電容量方式、あるいは投影型静電容量方式のどちらでもよい。照明スイッチ１００は、液晶部を備えないで構成しても良い。
【００３９】
スイッチ操作部４９の静電スイッチパターンと非接触式リーダ４のアンテナ部４３のパターンを同一の第１基板５２に設けており、互いに干渉を避ける構造としている点は特徴の一つである。照明スイッチ１００は、スイッチ操作部４９を静電容量式スイッチとして、ＬＥＤ表示部５０を含めてフラットな構造とした点も特徴の一つである。ユーザの操作を受け付ける表面カバー４ｅの前面は凹凸の無い平面である点も特徴の一つである。この平面が丸みを帯びて滑らかな曲面に変形されてもよく、その場合はカバープレート４ｆおよび第１基板５２も湾曲した曲面体となる。壁スイッチ３の操作にタクタイルスイッチ、プッシュスイッチなどを用いずに、静電スイッチとＲＦＩＤの読み込み機能を備えている点も特徴の一つである。
【００４０】
照明スイッチ１００は、照明コントローラ１を介して間接的に照明器具１の照明制御、具体的には点灯、消灯、および調光などを行ってもよく、照明コントローラ１を介さずに直接に照明器具２ａ〜２ｃの照明制御、具体的には点灯、消灯、および調光などを行っても良い。
【００４１】
実施の形態で使用される照明スイッチ１００の構造は、上記のものに限定されず、１個口スイッチの中に、非接触スイッチ機能（非接触式リーダ４）と、従来の操作ボタンおよびＬＥＤ表示を組み合わせた各種の構造を用いてもよい。
【００４２】
４つのスイッチ操作部４９をまとめて１つのスイッチ操作部４９で操作できるモードを備えても良い。
【００４３】
非接触ＩＣカード５のＩＤ情報と壁スイッチ情報を非接触式リーダ４に持たせたものであってもよい。通常の壁スイッチ３と非接触ＩＣカード５のＩＤ情報読み取り機能を一体化し、通常の壁スイッチ操作も実施できるものであってもよい。
【００４４】
図８は、本発明の実施の形態にかかる照明スイッチ１００の非表示状態を示す正面図である。実施の形態では、一例として、非接触ＩＣカード５によるカード操作が行われる前には、ＬＥＤ表示部５０は消灯とされている。
【００４５】
図９は、本発明の実施の形態にかかる照明スイッチ１００の点灯表示状態の一例を示す正面図である。非接触ＩＣカード５によるカード操作が行われると、ＬＥＤ表示部５０が点灯し、表面カバー４ｅ上に複数の発光領域４ｐ１〜４ｐ８が現れる。実施の形態では、照明器具２ａ〜２ｃの状態に応じて、ＬＥＤ表示部５０の点灯状態が相違させられている。照明器具２ａ〜２ｃが消灯の場合、緑のＬＥＤが点灯し、赤のＬＥＤは消灯のままである。照明器具２ａ〜２ｃが点灯の場合、赤のＬＥＤが点灯し、緑のＬＥＤは消灯のままである。なお、赤と緑は逆にしてもよい。
【００４６】
なお、図８において非接触ＩＣカード５によるカード操作前にはＬＥＤ表示部５０を消灯しているが、変形例として、カード操作前にＬＥＤ表示部５０を暗めに点灯させておいてもよい。カード操作があった場合に、カード操作前よりもＬＥＤ表示部５０の明るさを増大させて図９の状態を作り出してもよい。
【００４７】
図１０は、本発明の実施の形態にかかる照明スイッチ１００の点灯表示状態の一例を示す正面図である。カード操作によりＬＥＤ赤、緑の両方が点滅するモードである。このモードは、例えば、点灯と消灯のいずれかの操作をユーザに促すための表示状態として用いることができる。後述する図１６のステップＳ１４０で使用しても良い。
【００４８】
図１１は、本発明の実施の形態にかかる照明スイッチ１００の点灯表示状態の一例を示す正面図である。点灯操作があった場合を示しており、このときにはＬＥＤ表示部５０の赤のＬＥＤが点灯される。
【００４９】
非接触式リーダ４で読み取り成否または非接触式リーダ４で読み取られた情報に基づいて、照明スイッチ１００の表示状態を変更してもよい。具体的には、非接触式リーダ４の読み取りが有効であった場合に限り、照明スイッチ１００に「スイッチ操作部４９の表示」、具体的には壁スイッチ３のＬＥＤ表示部５０の点灯（例えば点滅モード）により図１０の操作待ち点灯状態を発生させてもよい。非接触式リーダ４で読み取られた情報に基づいて、照明スイッチ１００のうち、「今回読み取った非接触ＩＣカード５に照明制御権限が付与された照明器具」を操作するためのスイッチ操作部４９と組になる発光素子５１のみを点灯させるようにしてもよい。これにより、必要な照明器具にのみ照明制御を行わせることができる。
【００５０】
図１２〜図１６を用いて、実施の形態にかかる照明器具２、照明システム１０００および照明スイッチ１００の動作を説明する。
【００５１】
照明スイッチ１００および照明システム１０００では、照明コントローラ１が非接触ＩＣカード５の読み取りを行う非接触式リーダ４と通信し、非接触式リーダ４による読み取り情報に基づいて複数の照明器具２ａ〜２ｃの中から照明スイッチ１００の操作が適用される照明器具を選択する。
【００５２】
図１２は、本発明の実施の形態にかかる照明システム１０００、１００１の制御方式の一例（制御データベースＤＢを照明コントローラ１に置く方式）を示す制御シーケンス図である。
【００５３】
（シーケンスＳ１）
まず、非接触式リーダ４に非接触式ＩＣカード５がかざされると、カード読み取り通知および読み取ったカードＩＤ情報が、照明コントローラ１に送信される。照明コントローラ１は、予め記憶された制御データベースＤＢにアクセスして、照明器具２ａ〜２ｃの照明制御を行う。制御データベースＤＢには、建物に設置される複数の照明器具２ａ〜２ｃと、予め登録された「媒体情報」とが、互いにひもづけられた状態で登録されている。「媒体情報」とは、非接触式リーダ４が読み込みを予定する非接触ＩＣカード５のカードＩＤ情報のことであり、後述する「照明システムの構築方法」によって制御データベースＤＢに予め登録されている。「媒体情報」は、後述する図２２および図２３に示すように、製造ＩＤなどの、特別なセキュリティ解除を行わなくとも読み取りが可能な情報とすることで、汎用性を高めることができる。今回読み取られたカードＩＤ情報が、予め登録された媒体情報のいずれかに合致した場合には、その合致した媒体情報にひもづけられた照明器具に対して、壁スイッチ３の操作が適用される。具体的な制御ルーチンの一例は図１６で後述する。なお、非接触式リーダ４への非接触ＩＣカード５のかざし方によって照明制御が行われる機能が搭載されている場合には、さらに、後述する図１４および図１５に従って処理が行われることで、非接触ＩＣカード５のかざし方の種類に応じた照明制御が実行される。
【００５４】
従来の液晶壁スイッチでは、操作エリア分のボタンが必要であり自分のボタンを探すのに手間取ったり、液晶スイッチのボタン数、配置に制限がある。そこで、実施の形態では、一般的に使用されているＲＦＩＤのセキュリティがかかっていないカードＩＤ情報を照明スイッチ１００の非接触式リーダ４で読み取れるようにし、予め割り当てられたカードＩＤ情報と照明グループ情報の割当関係に従って、照明器具２ａ〜２ｃを制御できるようにしている。これにより、入退室用個人認証セキュリティーカードなどの専用カードのみならず非接触通信機能を備える様々なＩＣカード、ＩＣタグを用いることができるという高い汎用性が得られる。入退室用個人認証セキュリティーカードについても一般的な非接触ＩＣカードと同じく製造ＩＤなどの情報を持っていることが想定されるので、入退室用個人認証セキュリティーカードとそれ以外の非接触ＩＣカードとを共通の照明システム１０００、１０００１に使用できるという高い汎用性が得られる。
【００５５】
図１２では、一例として「グループ制御」を行う例を示している。グループ制御とは、複数の照明器具をまとめてグループ化した状態で、グループごとに照明制御を行うものである。実施の形態では説明を簡単にするために照明器具２ａ〜２ｃという３つの照明器具を例示しているが、数十個の照明器具を含む１つの照明システムが提供されても良く、数個〜十数個などの多数の照明器具を１グループにまとめつつ複数のグループがそれぞれ制御されるようにしてもよい。照明コントローラ１が照明器具２ａ〜２ｃにグループ制御を行うための制御信号を送る。照明器具２ａ〜２ｃから、指定された点灯状態となったことを報告する状態通知が照明コントローラ１に送信される。その後、照明コントローラ１は、グループ状態変化通知をビル監視設備１０に送信すると共に、壁スイッチ３および非接触式リーダ４に対して壁スイッチ表示制御を行う。
【００５６】
（シーケンスＳ２）
シーケンスＳ２は、ビル監視設備１０からの指示があったときのシーケンスである。ビル監視設備１０からグループ制御を指示する信号が照明コントローラ１に送信されると、照明コントローラ１は照明器具２ａ〜２ｃにグループ制御を行う。その後、照明コントローラ１に状態通知が返信されると、照明コントローラ１は、グループ状態変化通知をビル監視設備１０に送信すると共に、壁スイッチ３および非接触式リーダ４に対して壁スイッチ表示制御を行う。
【００５７】
（シーケンスＳ３）
シーケンスＳ２は、セキュリティ設備１１の施錠情報（施錠信号）によりテナントの照明器具２ａ〜２ｃを消灯制御する例である。カード情報入力端末９に非接触ＩＣカード５がかざされると、セキュリティ設備１１からテナント施錠信号が照明コントローラ１に通知される。照明コントローラ１は、テナント施錠信号に応答して、施錠されるフロアあるいは部屋に設置された全ての照明器具（ここでは照明器具２ａ〜２ｃの全て）を消灯させる。なお、カード情報入力端末９は、各フロアの特定の場所に設けられていても良いし、ビルエントランスなどに設けられていてもよい。
【００５８】
上記のシーケンスＳ１〜Ｓ３の全てを１つの照明システム１０００、１００１に適用しても良いし、これらのうち１つあるいは２つのシーケンスのみを適用しても良い。
【００５９】
図１３は、本発明の実施の形態にかかる照明システム１０００、１００１の制御方式の他の例（制御データベースＤＢを非接触式リーダ４に置く方式）を示す制御シーケンス図である。図１３に示すように、非接触ＩＣカード５のＩＤ情報と照明制御ポイントの情報すなわち制御データベースＤＢを、照明コントローラ１ではなく非接触式リーダ４に持たせてもよい。
【００６０】
なお、図１２および図１３に示すように制御データベースＤＢに従って複数の照明器具２ａ〜２ｃを個別制御するモードのほかにも、例えば、共用スペースに設置された照明器具に対しては、ＩＤ情報に関係なく全ての非接触ＩＣカード５の操作を受付ける「共用モード」を備えたものであってもよい。
【００６１】
図１４および図１５は、「かざし方の違い」に基づいた照明制御を行う制御ルーチンを示す。図１４は、本発明の実施の形態にかかる照明システム１０００、１００１のカードＩＤ情報読込処理の一例を示すフローチャートである。このフローチャートに基づく制御プログラムが、マイコン４１に予め記憶されている。非接触ＩＣカード５を使用して照明を点灯する場合に、ＩＣカード５のタッチ回数で点灯／消灯するようにしてもよい。つまり、非接触ＩＣカード５を非接触式リーダ４に近づける回数により照明器具２ａ〜２ｃのオンオフを決定してもよい。一例として、１回操作の場合には点灯操作として認識し、２回操作の場合には消灯操作として認識しても良い。他の例として、２回のデータ読み取りの間隔が０．５秒未満の場合点灯操作とし、２回のデータ読み取りの間隔が０．５秒以上の場合消灯してもよい。
【００６２】
具体的には、図１４のルーチンでは、まず、カードＩＤ情報の読み込みが行われる（ステップＳ１００）。次に、正しく読み込みが行われたか否かが判定される（ステップＳ１０２）。読み込みが不正確であった場合には、ＬＥＤ表示部５０をエラー表示させるために点滅させた後、今回のルーチンが終了する。正しく読み込みが行われたときには、続いて、ＩＤ検出回数が判定される（ステップＳ１０４）。このステップでは、例えば１秒などの予め定めた時間内に、複数回のカードＩＤ情報の読み込みがあったか否かが判定される。具体的には、前回のカードＩＤ情報の読み込みから、予め定めた時間が経過する前に、再びカードＩＤ情報の読み込みがあったか否かが判定される。回数が１回であると判定された場合には、オン制御情報をＩＤ情報に付加し（ステップＳ１１４）、正しく操作が行われたことを示すためにＬＥＤ表示部５０を点灯させ（ステップＳ１１６）、照明コントローラ１に対してオン制御情報およびＩＤ情報を通知して（ステップＳ１１０）、今回のルーチンが終了する。回数が２回であると判定された場合には、オフ制御情報をＩＤ情報に付加し（ステップＳ１０６）、正しく操作が行われたことを示すためにＬＥＤ表示部５０を点灯させ（ステップＳ１０８）、照明コントローラ１に対してオフ制御情報およびＩＤ情報を通知して（ステップＳ１１０）、今回のルーチンが終了する。
【００６３】
図１５は、本発明の実施の形態にかかる照明システム１０００、１００１のカードＩＤ情報読込処理の他の例を示すフローチャートである。図１５のルーチンでは、非接触ＩＣカード５のタッチ間隔に基づいて点灯／消灯を行うものである。非接触ＩＣカード５を非接触式リーダ４に近づけている時間の長さに応じて、照明器具２ａ〜２ｃのオンオフを決定してもよく、タッチ操作が速いと点灯操作と認識し、タッチ操作が遅いと消灯操作と認識するようにしても良い。
【００６４】
具体的には、非接触式リーダ４は、予め設定されたサンプリング周期で、繰返し、非接触ＩＣカード５に対する読み取り動作を継続している。非接触ＩＣカード５を非接触式リーダ４にゆっくりとかざした場合、サンプリング回数つまりサンプリングデータ数が多くなる。非接触ＩＣカード５を非接触式リーダ４にかざして離すという動作を素早く行った場合、ゆっくりとかざした場合よりもサンプリング回数つまりサンプリングデータ数が少なくなる。この違いを利用して、タッチ操作が速いと点灯操作と認識し、タッチ操作が遅いと消灯操作と認識するようにしてもよい。一例として、データ読み取り開始からデータ読み取り終了までの時間長が、１秒などの予め定めた時間以上である場合にはオフ操作と認識し、この予め定めた時間未満である場合にはオン操作と認識してもよい。具体的には、図１４のルーチンＳ１０４を図１５のルーチンにおけるステップＳ１２４と置換することで、上記機能を実現する。ステップＳ１２４では、ＩＤ検出時間が１秒以上であるか否かが判定される。データ読み取り開始からデータ読み取り終了までの時間長が検出され、１秒以上であればステップＳ１０６へ進み、１秒未満であればステップＳ１１４へと進む。これ以外の処理は図１４と同様である。
【００６５】
図１６は、本発明の実施の形態にかかる照明システム１０００、１００１のカードＩＤ情報読込処理の他の例を示すフローチャートである。図１６のルーチンは、非接触ＩＣカード５による操作と壁スイッチ３の操作を併用している図１４のルーチンＳ１０４を図１６のルーチンにおけるステップＳ１４０、Ｓ１４２と置換することで、上記機能を実現する。ステップＳ１４０では、図１０で例示したように、ゆっくりとした赤ＬＥＤおよび緑ＬＥＤの点滅が開始される。次に、ステップＳ１４２において、壁スイッチ３のオン操作あるいはオフ操作があったか否かが判定される。オフ操作があればステップＳ１０６へ進み、オン操作があればステップＳ１１４へと進む。これ以外の処理は図１４と同様である。
【００６６】
なお、ＬＥＤの点滅および点灯は２秒間とし、点滅前の状態に戻してもよい。
【００６７】
なお、ＬＥＤ点灯方法の代わりにブザー音を利用してもよい。この場合、ＬＥＤ表示部５０の代わりにブザー部を設けて、点灯、消灯、読み込み成功、読み込み失敗、などに応じた異なるブザー音を記憶しておけばよい。
【００６８】
図１７および図１８を用いて、実施の形態にかかる照明システム１０００、１００１の構築方法を説明する。照明システム１０００、１００１の構築方法の概略を説明すると、まず、建物に設置すべき複数の照明器具２ａ〜２ｃ、非接触ＩＣカード５の読み取りを行う非接触式リーダ４、および制御データベースＤＢを含む照明システム１０００または照明システム１００１を準備する。次に、非接触式リーダ４で非接触ＩＣカード５のＩＤ情報を読み取り、非接触式リーダ４で読み取られたＩＤ情報を複数の照明器具２ａ〜２ｃに１つずつ又はグループとしてひもづける。これにより、複数の照明器具２ａ〜２ｃに非接触式リーダ４で読み取りを予定するＩＤ情報を割り付けたデータベース情報を生成して、制御データベースＤＢに記憶する。
【００６９】
図１７は、本発明の実施の形態にかかる照明システム１０００、１００１の構築方法（割付操作を設定器２０４と非接触式リーダ４で実施する場合）の一例を示す設定シーケンス図である。図１８は、本発明の実施の形態にかかる照明システム１０００、１００１の構築方法を説明するための図である。図１８では、一例として、照明スイッチ１００に代えて、図４で説明した押しボタン式の照明スイッチ１０４を使用するものとする。
【００７０】
まず、設定器２０４より照明コントローラ１を介して照明スイッチ１０４内の非接触式リーダ４を割付モードに切り替える（ステップＱ１、Ｑ２）。次に、非接触式リーダ４は割付モードになると、照明スイッチ１０４の全てのＬＥＤ表示部５０が点灯する（ステップＱ３）。割り付けたい照明器具グループを選択し（ステップＱ４）、非接触ＩＣカード５を非接触式リーダ４に近づけることでカードＩＤ情報を読込ませる（ステップＱ５）。次に、カードＩＤ情報が照明コントローラ１を介して設定器２０４に通知される（ステップＱ６、Ｑ７）。次に、設定器２０４にて割付操作を実施する（ステップＱ８）。照明コントローラ１に照明器具グループ情報とＩＤ情報を登録させ（ステップＱ８１）、非接触式リーダ４側にも同じ情報を登録する（ステップＱ８２、Ｑ８３）。
【００７１】
図１９は、本発明の実施の形態にかかる照明システム１０００、１００１の構築方法（割付操作を非接触式リーダ４で実施する場合）の他の例を示す設定シーケンス図である。図２０および図２１は、本発明の実施の形態にかかる照明システム１０００、１００１の構築方法を説明するための図である。
【００７２】
まず、割付モードに移行する際は、図２０に示すように、複数のプッシュボタン１４９のうち任意の２つ以上のプッシュボタンを、１秒以上長押しする（ステップＱ１０）。照明スイッチ１０４内の非接触式リーダ４が割付モードになるとＬＥＤ表示部５０の全ての発光素子５１が点灯する。
【００７３】
次に、図２１に示すように、エリア１のプッシュボタン１４９を操作すると該当する個別の照明器具２ａ〜２ｃが点滅する。エリア１のプッシュボタン１４９を繰返し押すと、複数の照明器具２ａ〜２ｃが順方向に１つずつ選択されていく。エリア２のプッシュボタン１４９を操作すると該当する照明器具が点滅する。エリア２のプッシュボタン１４９は、戻りプッシュボタンとして機能してもよい。今回割り当てたい照明器具２ｂを指定するように順送りスイッチ操作（ステップＱ３）が行われ、照明器具２ｂが選択されたことを示す点滅が生ずる（ステップＱ１４）。
【００７４】
割り付けを行いたい自席の照明器具２ｂが点滅（一例として３回点滅するものとする）したので、この照明器具２ｂに対応づけたい非接触ＩＣカード５を近づけることでカードＩＤ情報を読込ませる（ステップＱ１５、Ｑ１６）。照明コントローラ１にカードＩＤ情報と照明器具情報（照明器具２ｂの識別情報）が登録される（ステップＱ１７）。登録が成功すると、照明器具２ｂが点滅（一例として３回点滅）する（ステップＱ１８）。これらの作業を繰り返すことで、割付が必要な全ての照明器具に対して、カードＩＤ情報が対応付けられる。
【００７５】
壁スイッチ３を交換した際の再設定を不要とするために、「カードＩＤ情報と照明器具２ａ〜２ｃの割付情報」を非接触式リーダ４のみならず照明コントローラ１側にも持たせてもよい（ステップＱ２０）。非接触式リーダ４に割付け情報が無い場合、または最新の割付情報ではない場合に、照明コントローラ１から割付情報が自動的にダウンロードされるようになっていてもよい。
【００７６】
その後、設定操作を完了させるために、通常モード移行スイッチ操作が行われる（ステップＱ２１）。具体的には、例えば、複数のプッシュボタン１４９のうち任意の２つ以上のプッシュボタンを、１秒以上長押しすることで通常モードへと移行する。
【００７７】
図２２および図２３は、本発明の実施の形態にかかる照明システム１０００、１００１で利用する非接触ＩＣカードを特定するためのＲＦＩＤフォーマットを示す図である。実施の形態では、カードの識別として「製造ＩＤ（ＩＤｍ）」を使用する。製造ＩＤとは、非接触式リーダ４が通信相手のカードを識別するためのＩＤである。ポーリングレスポンスのレスポンスコードが図２２および図２３に示すフォーマットであり、製造ＩＤの上位２バイトの値が製造者コード、次の６バイトがカード識別番号となる。非接触ＩＣカード５は、ＩＳＯ／ＩＥＣ１４４４３タイプＡカード、ＩＳＯ／ＩＥＣ１４４４３タイプＢカード、ＦｅｌｉＣａ（登録商標）カード、ＩＳＯ／ＩＥＣ１８０９２（ＮＦＣ）などの近距離無線通信方式（ＮＦＣ）の媒体、あるいは、上記各規格と互換性を持つ各種標準規格に準拠した各種のＩＣカード、ＩＤタグを用いることができる。
【００７８】
非接触型ＩＣカード５に限らず、様々な「非接触型情報記憶媒体」に変更しても良い。ＩＣチップ内蔵型の形態情報端末、あるいは、これらＲＦＩＤタグを内蔵した他の各種の物体を用いることもできる。「非接触型情報記憶媒体」は、照明器具２ａ〜２ｃが設置された部屋への入退室に用いる個人認証用ＩＣカードであってもよい。その一方で、「非接触型情報記憶媒体」は、建物または部屋への入退室に用いる個人認証とは異なる他用途を有するものであってもよい。この他用途は、建物又は部屋以外の他の機関で個人認証に用いる利用者識別情報、交通機関の乗り降りに関する定期券またはデポジット買い物用のデポジットなどであってもよい。非接触式リーダ４は、「非接触型情報記憶媒体」に記憶された情報のうちセキュリティロックのかかっていない部分の情報を読み取るものであってもよい。具体的には、上述した「製造ＩＤ」を読み取みとるものであってもよい。媒体情報は、「非接触型情報記憶媒体」でセキュリティロックがされていない情報であってもよい。媒体情報は、「非接触型情報記憶媒体」の製造情報であってもよい。非接触ＩＣカード５は、建物の入退室管理とは異なる他用途に用いられるものであってもよい。専用の入隊室管理カード以外のＩＣカードを用いたり、セキュリティロックがかかっていない情報を活用したりすることで、汎用性を高めることができる。
【００７９】
図２４は、本発明の実施の形態にかかる照明空調システム１００２の構成を示すブロック図である。図２４では、照明器具２ａ〜２ｃが設置された部屋に設けられた空調機７０ａ〜７０ｄが、空調コントローラを介してＬＡＮ７１およびハブ１２に接続している。照明空調システム１００２は、非接触式リーダ４による読み取りの成否、非接触式リーダ４による読み取り情報、および非接触式リーダ４に対する非接触ＩＣカード５のかざし方の違いのうち少なくとも１つに基づいて、照明器具２ａ〜２ｃおよび空調機７０ａ〜７０ｃのオンオフ制御を行ってもよい。図２５は、本発明の実施の形態にかかる照明空調システムの他の構成を示すブロック図である。図２５の照明空調システム１００３のように、空調コントローラの代わりに、照明コントローラ１ａ〜１ｄが空調機７０ａ〜７０ｃを制御しても良い。非接触ＩＣカード５のＩＤ情報により、自場所の空調も制御できるものであってもよい。非接触ＩＣカード５のＩＤ情報により、照明コントローラ１ａ〜１ｄ経由にて自場所の空調も制御できるものであてもよい。空調制御においては、対象の空調機７０ａ〜７０ｃに対して複数の照明スイッチ１００の壁スイッチ３がそれぞれ割り当てられた場合、ＯＲ論理制御にて運転／停止を切り替えるものであってもよい。
【００８０】
上記照明スイッチ１００を従来の壁スイッチの代わりに使用することで、ドア入り口に集合スイッチを設けなくともよくなる。さらに自分のエリアを選択する手間も省けるので、操作性が飛躍的に向上する。
【００８１】
変形例として、複数の非接触式リーダ４を壁スイッチ３に一体化しても良い。非接触ＩＣカード５の読み取りを行う複数の非接触式リーダ４と通信し、複数の非接触式リーダ４のいずれを対象に非接触ＩＣカード５がかざされたかに基づいて異なる照明制御を行うようにしてもよい。複数の非接触式リーダ４は、マイコン４１と接続されており、照明スイッチ１００の第１基板５２の平面方向に並べて配置され、それぞれが個別に非接触ＩＣカード５の読み取りを行う。マイコン４１は、複数の非接触式リーダ４の１つに非接触ＩＣカード５がかざされた場合と複数の非接触式リーダ４の他の一つに非接触ＩＣカード５がかざされた場合とで、異なる照明制御を行う。これら複数の非接触式リーダ４それぞれが上述した「かざし方の違い」を認識できるようになっていてもよく、複数の非接触式リーダ４それぞれを用いて異なる内容の「かざし方の違いに基づく照明制御」を別々に実行できるようになっていてもよい。
【００８２】
照明システム１０００を、照明コントローラ１を備えない照明システムに変形することもできる。この場合には、照明器具２ａ〜２ｃ自体が、非接触式リーダ４に対する非接触ＩＣカード５のかざし方の違いに基づいて照明制御を行う機能を搭載すればよい。具体的には、照明スイッチ１００と照明器具２ａ〜２ｃとの間で通信を行うことで、照明器具２ａ〜２ｃの点灯装置（図示せず）が内蔵するマイコン等の制御回路に、非接触式リーダ４に対する非接触ＩＣカード５のかざし方の違いに基づいて照明制御を行うための演算処理を実行させればよい。
【符号の説明】
【００８３】
１、１ａ〜１ｄ  照明コントローラ、２ａ〜２ｃ  照明器具、６、６ａ〜６ｄ  照明制御システム機器、７０ａ〜７０ｄ  空調機、９、９ａ〜９ｄ  カード情報入力端末、３  壁スイッチ、４  非接触式リーダ、４ｅ  表面カバー、４ｆ  カバープレート、４ｆ１  カバープレートの表面、４ｆ２  カバープレートの裏面、４ｇ  ケース、５  非接触ＩＣカード、７  ルーター、８、８ａ，８ｂ  パソコン、８ａ１，８ｂ１  非接触式リーダ、１０  ビル監視設備、１１  セキュリティ設備、１２  ハブ、１３  設備ＬＡＮ、４１  マイコン、４２  ＲＦ制御ＩＣ、４３  アンテナ部、４４  端子台、４５  電源回路、４６  受信回路、４７  送信回路、４８  スイッチ装置、４９  スイッチ操作部、５０  ＬＥＤ表示部、５１  発光素子、５２  第１基板、５３  基板本体、５３ａ  基板本体の表面、５３ｂ  基板本体の裏面、５６  第２基板、６１  セキュリティーカード、１００、１０４  照明スイッチ、１４８  タクタイルスイッチ、１４９  プッシュボタン、２０４  設定器、１０００、１００１  照明システム、１００２、１００３  照明空調システム、ＤＢ  制御データベース
【図１】
2017098034.tif 000003
【図２】
2017098034.tif 000004
【図３】
2017098034.tif 000005
【図４】
2017098034.tif 000006
【図５】
2017098034.tif 000007
【図６】
2017098034.tif 000008
【図７】
2017098034.tif 000009
【図８】
2017098034.tif 000010
【図９】
2017098034.tif 000011
【図１０】
2017098034.tif 000012
【図１１】
2017098034.tif 000013
【図１２】
2017098034.tif 000014
【図１３】
2017098034.tif 000015
【図１４】
2017098034.tif 000016
【図１５】
2017098034.tif 000017
【図１６】
2017098034.tif 000018
【図１７】
2017098034.tif 000019
【図１８】
2017098034.tif 000020
【図１９】
2017098034.tif 000021
【図２０】
2017098034.tif 000022
【図２１】
2017098034.tif 000023
【図２２】
2017098034.tif 000024
【図２３】
2017098034.tif 000025
【図２４】
2017098034.tif 000026
【図２５】
2017098034.tif 000027